【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
可変表示に関する情報を保留記憶として記憶可能な保留記憶手段と、
前記保留記憶手段に記憶されている保留記憶に対応した保留表示を、第１態様と該第１態様とは異なる第２態様とで表示可能な保留表示手段と、
前記第２態様の保留表示を表示するときに所定演出を実行する演出実行手段と、
前記第２態様の保留表示に対応する可変表示において、前記所定演出の演出態様と少なくとも一部が共通する演出態様の関連演出を実行する関連演出実行手段と、
を備える
ことを特徴とする遊技機。
【請求項２】
前記有利状態に制御するか否かを決定する決定手段と、
前記決定手段による決定よりも前に、前記有利状態に制御されるか否かを判定する判定手段と、
を備え、
前記保留表示手段は、保留表示を、前記第２態様として特定態様と該特定態様とは異なる特別態様とで表示可能であり、
前記保留表示手段は、前記判定手段による判定結果に基づいて、前記特定態様で表示する場合と前記特別態様で表示する場合とで、前記有利状態に制御される割合が異なるように、該判定の対象となった保留記憶に対応する保留表示を表示し、
前記演出実行手段は、
前記所定演出として第１所定演出と、該第１所定演出とは異なる第２所定演出とを実行可能であり、
前記保留表示手段により保留表示が前記特定態様で表示される場合には、前記特別態様で表示される場合よりも高い割合で前記第１所定演出を実行し、前記保留表示手段により保留表示が前記特別態様で表示される場合には、前記特定態様で表示される場合よりも高い割合で前記第２所定演出を実行する
ことを特徴とする請求項１に記載の遊技機。
【請求項３】
可変表示中に特定演出を実行可能な特定演出実行手段を備え、
前記特定演出の実行中においては、前記保留表示手段により前記第２態様にて保留表示が表示されることを制限する
ことを特徴とする請求項１または請求項２に記載の遊技機。
【請求項４】
可変表示を行うときに、当該可変表示に対応する保留表示を可変表示対応表示として表示可能な可変表示対応表示手段を備え、
前記可変表示対応表示手段は、可変表示対応表示の表示態様を第３態様と該第３態様と異なる第４態様とで表示可能であり、前記有利状態に制御される場合は前記有利状態に制御されない場合と比べて高い割合で前記第４態様の可変表示対応表示を表示する
ことを特徴とする請求項１〜請求項３のいずれかに記載の遊技機。
【手続補正２】
【補正対象書類名】明細書
【補正対象項目名】０００１
【補正方法】変更
【補正の内容】
【０００１】
本発明は、可変表示を行い、遊技者にとって有利な有利状態に制御可能な遊技機に関する。
【手続補正３】
【補正対象書類名】明細書
【補正対象項目名】０００６
【補正方法】変更
【補正の内容】
【０００６】
可変表示を行い、遊技者にとって有利な有利状態（例えば、大当り遊技状態）に制御可能な遊技機（例えば、パチンコ遊技機１）であって、
可変表示に関する情報を保留記憶として記憶可能な保留記憶手段（例えば、保留特定領域、保存領域や入賞時判定結果記憶バッファ）と、
前記保留記憶手段に記憶されている保留記憶に対応した保留表示を、第１態様（例えば、通常態様）と該第１態様とは異なる第２態様（例えば、第１特別態様や第２特別態様）とで表示可能な保留表示手段（例えば、演出制御用ＣＰＵ１２０が先読み演出決定処理のＳ６７１１４、Ｓ６７１１６や演出図柄変動中処理のＳ１８４５ｅを実行して合算保留記憶表示部５Ｄにて保留表示を表示する部分）と、
前記第２態様の保留表示を表示するときに所定演出（例えば、保留表示が正面視で横回転または正面視で縦回転する表示態様変化報知演出）を実行する演出実行手段（例えば、演出制御用ＣＰＵ１２０が報知演出処理のＳ１７０９〜Ｓ１７１５及びＳ１７３４〜Ｓ１７４１を実行する部分）と、
前記第２態様の保留表示に対応する可変表示において、前記所定演出の演出態様と少なくとも一部が共通する演出態様の関連演出（例えば、消費保留表示が正面視で横回転または正面視で縦回転する表示態様変化済変動開始報知演出）を実行する関連演出実行手段（例えば、演出制御用ＣＰＵ１２０が報知演出処理のＳ１７１７〜Ｓ１７２４及びＳ１７２７〜Ｓ１７３３を実行する部分）と、
を備える
ことを特徴としている。
この特徴によれば、第２態様の保留表示に対応する可変表示において、第２態様が表示されるときに実行された所定演出と少なくとも一部が共通の演出態様である関連演出が実行されるので、表示態様が第２態様である保留表示に対応する可変表示であることを、遊技者が分かり易くできる。
【手続補正４】
【補正対象書類名】明細書
【補正対象項目名】０００７
【補正方法】変更
【補正の内容】
【０００７】
本発明の請求項２に記載の遊技機は、請求項１に記載の遊技機であって、
前記有利状態に制御するか否かを決定する決定手段（例えば、ＣＰＵ１０３が特別図柄通常処理を実行する部分）と、
前記決定手段による決定よりも前に、前記有利状態に制御されるか否かを判定する判定手段（例えば、ＣＰＵ１０３が始動口スイッチ通過処理において入賞時判定処理を実行する部分）と、
を備え、
前記保留表示手段は、保留表示を、前記第２態様として特定態様（例えば、第１特別態様）と該特定態様とは異なる特別態様（例えば、第２特別態様）とで表示可能（例えば、演出制御用ＣＰＵ１２０が先読み演出決定処理のＳ６７１１３ｂ及びＳ６７１１４や、演出図柄変動中処理のＳ１８４６ｄ及びＳ１８４６ｅを実行する部分）であり、
前記保留表示手段は、前記判定手段による判定結果（例えば、はずれ、通常大当り、確変大当り、突然確変大当り、小当りのいずれか）に基づいて、前記特定態様で表示する場合と前記特別態様で表示する場合とで、前記有利状態に制御される割合が異なるように、該判定の対象となった保留記憶に対応する保留表示を表示し（例えば、演出制御用ＣＰＵ１２０が先読み演出決定処理のＳ６７１０６において図２３（Ｂ）に示す最終表示態様決定テーブルを用いて保留表示の最終表示態様を決定した後にＳ６７１１４またはＳ１８４６ｅを実行する部分）、
前記演出実行手段は、
前記所定演出として第１所定演出（例えば、表示態様変化報知演出として保留表示を正面視で横回転させる演出）と、該第１所定演出とは異なる第２所定演出（例えば、表示態様変化報知演出として保留表示が正面視で縦回転する演出）とを実行可能であり、
前記保留表示手段により保留表示が前記特定態様で表示される場合（例えば、演出制御用ＣＰＵ１２０が先読み演出決定処理のＳ６７１０６を実行して最終表示態様を第１特別態様に決定した後に、Ｓ６７１１３ｂ及びＳ６７１１４を実行する場合や、演出図柄変動中処理のＳ１８５６ｄ及びＳ１８４６ｅを実行する場合）には、前記特別態様で表示される場合（例えば、演出制御用ＣＰＵ１２０が先読み演出決定処理のＳ６７１０６を実行して最終表示態様を第２特別態様に決定した後に、Ｓ６７１１３ｂ及びＳ６７１１４を実行する場合や、演出図柄変動中処理のＳ１８５６ｄ及びＳ１８４６ｅを実行する場合）よりも高い割合（例えば、１００％や９０％）で前記第１所定演出を実行し（例えば、演出制御用ＣＰＵ１２０は、報知演出処理のＳ１７２０を実行した後にＳ１７３４〜Ｓ１７４１を実行することで、第１特別態様にて表示された保留表示を正面視で横回転させる）、前記保留表示手段により保留表示が前記特別態様で表示される場合（例えば、演出制御用ＣＰＵ１２０が先読み演出決定処理のＳ６７１０６を実行して最終表示態様を第２特別態様に決定した後に、Ｓ６７１１３ｂ及びＳ６７１１４を実行する場合や、演出図柄変動中処理のＳ１８５６ｄ及びＳ１８４６ｅを実行する場合）には、前記特定態様で表示される場合（例えば、演出制御用ＣＰＵ１２０が先読み演出決定処理のＳ６７１０６を実行して最終表示態様を第１特別態様に決定した後に、Ｓ６７１１３ｂ及びＳ６７１１４を実行する場合や、演出図柄変動中処理のＳ１８５６ｄ及びＳ１８４６ｅを実行する場合）よりも高い割合（例えば、１００％や９０％）で前記第２所定演出を実行する（例えば、演出制御用ＣＰＵ１２０は、報知演出処理のＳ１７２１を実行した後にＳ１７３４〜Ｓ１７４１を実行することで、第２特別態様にて表示された保留表示が正面視で縦回転する）
ことを特徴としている。
この特徴によれば、第１所定演出または第２所定演出の実行によって、保留表示の表示態様が、有利状態に制御される期待度の異なる特定態様または特別態様のいずれで表示されるかを、遊技者が解り易くできる。
【手続補正５】
【補正対象書類名】明細書
【補正対象項目名】０００８
【補正方法】変更
【補正の内容】
【０００８】
本発明の請求項３に記載の遊技機は、請求項１または請求項２に記載の遊技機であって、
可変表示中に特定演出（例えば、リーチ演出）を実行可能な特定演出実行手段（例えば、演出制御用ＣＰＵ１２０が演出図柄変動中処理のＳ１８４７ａ〜Ｓ１８４８ｂを実行する部分）を備え、
前記特定演出の実行中（例えば、リーチ演出実行中フラグがセットされているとき）においては、前記保留表示手段により前記第２態様にて保留表示が表示されることを制限する（例えば、演出制御用ＣＰＵ１２０は、先読み演出決定処理のＳ６７１１３ａにおいてリーチ演出実行中フラグがセットされている場合、Ｓ６７１１５ａ及びＳ６７１１６を実行することで新たな保留表示を通常態様で表示する）
ことを特徴としている。
この特徴によれば、特定演出の実行中に第２態様にて保留表示が表示されることによって特定演出への注目が薄れることにより特定演出の興趣が低下してしまうことを防ぐことができる。
【手続補正６】
【補正対象書類名】明細書
【補正対象項目名】０００９
【補正方法】変更
【補正の内容】
【０００９】
本発明の請求項４に記載の遊技機は、請求項１〜請求項３のいずれかに記載の遊技機であって、
可変表示を行うときに、当該可変表示に対応する保留表示を可変表示対応表示（例えば、消費保留表示）として表示可能な可変表示対応表示手段（例えば、演出制御用ＣＰＵ１２０がＳ１８００ｃ〜Ｓ１８００ｄ’を実行して消費保留アクティブ表示エリア５Ｆにて消費保留表示を表示する部分）を備え、
前記可変表示対応表示手段は、可変表示対応表示の表示態様を第３態様（例えば、第１特別態様）と該第３態様と異なる第４態様（例えば、第２特別態様）とで表示可能であり、前記有利状態に制御される場合は前記有利状態に制御されない場合と比べて高い割合で前記第４態様の可変表示対応表示を表示する（例えば、変形例３において図４５（Ｃ）に示すように、入賞時判定結果が「通常大当り」または「確変大当り」である場合は、９５％の割合で消費保留表示を第２特別態様にて表示し、５％の割合で消費保留表示を第１特別態様にて表示する一方で、入賞時判定結果が「はずれ」である場合は、９５％の割合で消費保留表示を第１特別態様にて表示し、５％の割合で消費保留表示を第２特別態様にて表示する）
ことを特徴としている。
この特徴によれば、可変表示対応表示の表示態様が異なる表示態様で表示されるので、遊技興趣を向上できる。
【手続補正７】
【補正対象書類名】明細書
【補正対象項目名】００１１
【補正方法】変更
【補正の内容】
【００１１】
本発明の手段２に記載の遊技機は、請求項４または手段１に記載の遊技機であって、
前記保留表示手段によって保留表示の表示態様が前記第２態様にて表示される場合と、前記可変表示対応表示手段によって可変表示対応表示の表示態様が前記第４態様にて表示される場合とで、前記有利状態に制御される割合が異なる（例えば、変形例３において、保留表示を第１特別態様または第２特別態様に表示する場合は、入賞時判定結果にもとづいて図４５（Ａ）に示す決定割合で保留表示の表示態様を第１特別態様と第２特別態様とから決定し、消費保留表示を第１特別態様または第２特別態様に表示する場合は、入賞時判定結果にもとづいて図４５（Ｂ）に示す決定割合で消費保留表示の表示態様を第１特別態様と第２特別態様とから決定する）
ことを特徴としている。
この特徴によれば、保留表示と可変表示対応表示に対して遊技者を注目させることができるので、遊技の興趣を向上させることができる。
【手続補正８】
【補正対象書類名】明細書
【補正対象項目名】００１２
【補正方法】変更
【補正の内容】
【００１２】
本発明の手段３に記載の遊技機は、請求項１〜請求項４、手段１、手段２のいずれかに記載の遊技機であって、
前記保留表示手段は、保留表示を、前記第２態様として特定態様（例えば、第１特別態様）と特別態様（例えば、第２特別態様）とで表示可能であるとともに、前記特定態様にて表示した後に前記特別態様に変化可能であって（例えば、変形例１において、図４２（Ｂ）に示すように保留表示を第１特別態様にて表示した後に、該保留表示を図４２（Ｆ）に示すように第２特別態様に変化させる部分）、
前記演出実行手段は、前記特定態様にて表示された保留表示が前記特別態様にて変化されるときに、前記所定演出とは異なる特殊演出（例えば、変形例１として図４２（Ｇ）に示すように、第２特別態様に変化した保留表示が正面視で縦回転する演出）を実行可能であって、
前記関連演出実行手段は、前記特定態様から変化されて前記特別態様にて表示された保留表示に対応する可変表示において、前記特殊演出の演出態様と少なくとも一部が共通する演出態様の第２関連演出（例えば、変形例１として図４３（Ｊ）に示すように、第２特別態様で表示されている消費保留表示を、保留表示として第２特別態様で表示されたときと同様に正面視で縦回転させる演出）を実行可能である
ことを特徴としている。
この特徴によれば、表示態様が特定態様から特別態様となった保留表示に対応する可変表示において、特定態様となった際の所定演出ではなく、特別態様となった際の特殊演出の少なくとも一部と演出態様が共通する第２関連演出が実行されるので、特定態様から特別態様となった保留表示に対応する可変表示であることを、遊技者が分かり易くできる。